(57)【要約】      （修正有）【課題】充電用装置を家具又は乗り物の座席に内装すると共に充電用プラグを露出させ、充電用プラグを繰り出し又は繰り戻し自在とさせる構造としたデジタル機器の充電用装置を提供する。【解決手段】先端に備えた充電用プラグ１と、基端に備えたコンバータと、充電用プラグ１とコンバータとを接続したケーブルと、ケーブルを捲着させるコードリールとを備えるデジタル機器の充電用装置において、充電用装置を家具Ａに内装すると共に充電用プラグ１を露出させ、充電用プラグ１を繰り出し又は繰り戻し自在とさせるものであり、更に、充電用装置を乗り物の座席又はその近傍に内装すると共に充電用プラグ１を露出させ、充電用プラグ１を繰り出し又は繰り戻し自在とさせるものであり、更には、充電用プラグ１は複数又は単数の携帯電話用充電用プラグ１及び／又はＵＳＢ用充電用プラグ１である。【選択図】図１
0003143001.tif 000002
【実用新案登録請求の範囲】
【請求項１】
先端に備えた充電用プラグと、基端に備えたコンバータと、前記充電用プラグと前記コンバータとを接続したケーブルと、該ケーブルを捲着させるコードリールとを備えるデジタル機器の充電用装置において、前記充電用装置を家具に内装すると共に前記充電用プラグを露出させ、前記充電用プラグを繰り出し又は繰り戻し自在とさせる構造としたことを特徴とするデジタル機器の充電用装置。
【請求項２】
先端に備えた充電用プラグと、基端に備えたコンバータと、前記充電用プラグと前記コンバータとを接続したケーブルと、該ケーブルを捲着させるコードリールとを備えるデジタル機器の充電用装置において、前記充電用装置を乗り物の座席又はその近傍に内装すると共に前記充電用プラグを露出させ、前記充電用プラグを繰り出し又は繰り戻し自在とさせる構造としたことを特徴とするデジタル機器の充電用装置。
【請求項３】
前記充電用プラグは複数又は単数の携帯電話用充電用プラグ及び／又はＵＳＢ用充電用プラグであることを特徴とする請求項１又は請求項２に記載のデジタル機器の充電用装置。
【考案の詳細な説明】
【技術分野】
【０００１】
本考案は、デジタル機器の充電用装置に関するものであり、更に詳細には、携帯電話、携帯デジタル音楽プレーヤー、ハンディパーソナルコンピュータ等のデジタル機器の充電用装置を家具や乗り物の座席に内層して使用者の利便性を向上させるデジタル機器の充電用装置に関するものである。
【背景技術】
【０００２】
従来、携帯電話、携帯デジタル音楽プレーヤー、ハンディパーソナルコンピュータ等のデジタル機器の充電は充電用装置を用いて、自宅や勤務先で行っている。
【０００３】
然し乍ら、出張や旅行のように自宅や勤務先から長時間離れる場合はデジタル機器の充電用装置を持ち歩かねば成らず、また、充電用装置を忘れた場合、充電することができず、更に、充電するのを忘れて外出したような場合は、充電が必要と成り、充電用装置を備えているコンビニや電気店に寄って充電することに成り、充電が終わるまで暫く待たなければ成らず不自由なものである。
【０００４】
例えば、先に開示された、パソコンを搭載するＯＡデスクにおいて、一つ以上のＵＳＢ入出力端子と、このＵＳＢ入出力端子から入ってくるデータの調停を行うＵＳＢ−ＨＵＢと、当該ＨＵＢより出されたデータを出力するためのＵＳＢ出力端子を設け、前記ＵＳＢ入出力端子にパソコンを接続し、該パソコンの周辺機器は前記ＵＳＢ−ＨＵＢを介して前記ＵＳＢ出力端子に接続したパソコンとＵＳＢ用のケーブルで導通したもの（特許文献１参照）や、インテリア収納家具１では、ＵＳＢハブ１１と、各種機器１２〜１５とを、収納する複数の収納棚Ｔを備え、各収納棚Ｔは、前後に開口して上下段に整列して設けたもの（特許文献２参照）や、コネクタシートが設けられ、該コネクタシートの入力端に導線でＵＳＢプラグが連接され、コネクタシートの出力端に異なる導線で異なる形式の充電プラグが連接されて一つの充電器を構成し、使用時に、該ＵＳＢプラグが一般のパソコン後方に設けられたＵＳＢソケットに挿入され、該充電プラグが異なるタイプの携帯電話に挿入され、パソコンのＵＳＢソケットの出力する安定電圧電源でコネクタシートを経由して携帯電話或いはＰＤＡに充電でき、充電器が更に機動性を有するものとされ、且つ変圧器による電圧変換の煩わしさを免除したもの（特許文献２参照）が開示されている。
【特許文献１】特開平１１−６５７０３号公報
【特許文献２】特開２０００−３１１０３２号公報
【特許文献３】実用新案登録第３０８２５３０号公報
【考案の開示】
【考案が解決しようとする課題】
【０００５】
然し乍ら、特許文献１に記載のものは、パソコンを搭載するＯＡデスクに関するもので、ＯＡ機器の周辺機器として使用するものであり、訪問先で充電できるものでは無く、更に、特許文献２に記載のものも、インテリア収納家具１が、各種機器１２〜１５を、収納する複数の収納棚Ｔを備えているもので、やはり周辺機器と成るもので訪問先で充電できるものでは無く、更には、特許文献３に記載のものは、携帯電話の充電器の構造であるが、コネクタシートの入力端に導線でＵＳＢプラグが連接され、コネクタシートの出力端に異なる導線で異なる形式の充電プラグが連接されて一つの充電器を構成しているもので、出張先や旅行先のような同じ場所に暫時滞留する場所に備わったデジタル機器の充電用装置では無いものである。
【課題を解決するための手段】
【０００６】
前記課題に鑑み、鋭意研鑽の結果、先端に備えた充電用プラグと、基端に備えたコンバータと、充電用プラグとコンバータとを接続したケーブルと、ケーブルを捲着させるコードリールとを備えるデジタル機器の充電用装置において、充電用装置を家具又は乗り物の座席に内装すると共に充電用プラグを露出させ、充電用プラグを繰り出し又は繰り戻し自在とさせる構造としたものであり、更に、充電用プラグは複数又は単数の携帯電話用充電用プラグ及び／又はＵＳＢ用充電用プラグである。
【考案の効果】
【０００７】
本考案のデジタル機器の充電装置は、会社の応接室や会議室の机や椅子、ハンガー等の家具、レストランやカフェ等の机等の家具、または、飛行機や新幹線、長距離バス等の座席又はその近傍に充電用プラグを繰り出し又は繰り戻し自在として内装しているもので、商談や会議、食事をしている間や、乗り物で移動中に気軽に無料で充電ができる環境が整うもので、利便性が高く極めて有効的で実用性の高い考案である。
【考案を実施するための最良の形態】
【０００８】
以下、本考案のデジタル機器の充電装置の実施例の図面を用いて詳細に説明すると、図１は本考案のデジタル機器の充電装置の実施例のハンガーの斜視図であり、図２は本考案のデジタル機器の充電装置の次実施例のテーブルの斜視図であり、図３は本考案のデジタル機器の充電装置のその他の実施例の乗り物の座席の側面図である。
【０００９】
本考案は、デジタル機器の充電用装置に関するものであり、更に詳細には、携帯電話、携帯デジタル音楽プレーヤー、ハンディパーソナルコンピュータ等のデジタル機器の充電用装置を家具Ａや乗り物の座席Ｂに付設して使用者の利便性を向上させるデジタル機器の充電用装置に関するものであり、請求項１に記載のデジタル機器の充電用装置は、先端に備えた充電用プラグ１と、基端に備えたコンバータと、前記充電用プラグ１と前記コンバータとを接続したケーブルと、該ケーブルを捲着させるコードリールとを備えるデジタル機器の充電用装置において、前記充電用装置を家具Ａに内装すると共に前記充電用プラグ１を露出させ、前記充電用プラグ１を繰り出し又は繰り戻し自在とさせる構造としたことを特徴とするものである。
【００１０】
更に、請求項２に記載のデジタル機器の充電装置は、先端に備えた充電用プラグ１と、基端に備えたコンバータと、前記充電用プラグ１と前記コンバータとを接続したケーブルと、該ケーブルを捲着させるコードリールとを備えるデジタル機器の充電用装置において、前記充電用装置を乗り物の座席Ｂ又はその近傍に内装すると共に前記充電用プラグ１を露出させ、前記充電用プラグ１を繰り出し又は繰り戻し自在とさせる構造としたものである。
【００１１】
更には、請求項３に記載のデジタル機器の充電用装置は、請求項１又は請求項２に記載のデジタル機器の充電用装置において、前記充電用プラグ１は複数又は単数の携帯電話用充電用プラグ１及び／又はＵＳＢ用充電用プラグ１であることを特徴とするものである。
【実施例】
【００１２】
即ち、本考案のデジタル機器の充電装置の実施例は、図１及び図２に図示するように、会社の応接室や会議室の机や椅子、ハンガー等の家具Ａ、レストランやカフェ等のテーブル等の家具Ａ、または、飛行機や新幹線、長距離バス等の座席Ｂ又はその近傍の容易に目に付き易く、且つ、邪魔にならない部位に内装しているものでる。
【００１３】
そして、先端に備えた充電用プラグ１は、汎用のもので携帯電話用充電用プラグ１と携帯型デジタル音楽プレーヤー、ハンディパーソナルコンピュータ等のＵＳＢ用充電用プラグ１であり、デジタル機器に装備されている充電用コンセントに挿通させて充電を行うものである。
【００１４】
次に、コンバータは基端に備え、電源とデジタル機器との間の電圧を変換させるものである。
【００１５】
次いで、ケーブルは、充電用プラグ１とコンバータとを接続する長さを有するものであり、後述するコードリールに捲着されているもので、夫々の充電用プラグ１及びデジタル機器に適応したものである。
【００１６】
更に、コードリールは、回転することによりケーブルを巻き取り又は繰り出しするもので、例えば、ゼンマイ状のスプリングを利して弾性に抗して繰り出し、充填状態で一時係止させ、係止を解除することで自動的にスプリングの弾性によりリールを回転させて巻き取りるもので、常時は巻き取り状態にあるものである。
【００１７】
そして、家具Ａは、例えば、会社の応接室や会議室の机や椅子、ハンガー等の家具Ａ、レストラン、カフェ等のテーブル等で特に限定するものではなく、充電用装置を内装すると共に充電用プラグ１を露出させるもので、夫々の家具Ａの目に付き易い部位で且つ家具Ａそのものの機能の邪魔にならない部位に充電用プラグ１を露出させて内装するもので、充電用プラグ１を持って引き出すことでケーブルが延伸するもので、その状態で一時係止できるものが好適なものであり、充電後は元の状態に収納されるものであり、商業電源からの電流は適宜電源コードＣを延設させて供給するものである。
【００１８】
更に、本考案のデジタル機器の充電装置の次実施例は、デジタル機器の充電装置を飛行機や新幹線、長距離バス等の乗り物の座席Ｂ又はその近傍の窓の下方等に内装したもので、他の構成は実施例と同じなので詳述は省略する。
【００１９】
加えて、充電用プラグ１は、携帯電話用充電用プラグ１及び／又はＵＳＢ用充電用プラグ１であり、携帯電話用充電用プラグ１のみでも、ＵＳＢ用充電用プラグ１のみでも良く、又は、携帯電話用充電用プラグ１とＵＳＢ用充電用プラグ１の両方を並設しても良く、更には、複数を並設しても構わないものである。
【産業上の利用可能性】
【００２０】
本考案のデジタル機器の充電装置は、会社の応接室の机や椅子、ハンガー等の家具、レストラン、カフェ等のテーブル、または、飛行機や新幹線、長距離バス等の座席又はその近傍に充電用プラグを繰り出し又は繰り戻し自在として内装しているもので、気軽に充電ができる環境が整う、デジタル機器の充電装置の提供するものである。
【図面の簡単な説明】
【００２１】
【図１】図１は本考案のデジタル機器の充電装置の実施例の斜視図である。
【図２】図２は本考案のデジタル機器の充電装置の次実施例の斜視図である。
【図３】図３は本考案のデジタル機器の充電装置のその他の実施例の側面図である。
【符号の説明】
【００２２】
１      充電用プラグ
Ａ      家具
Ｂ      乗り物の座席
【図１】
0003143001.tif 000003
【図２】
0003143001.tif 000004
【図３】
0003143001.tif 000005